(57)【要約】【課題】従来の交換型のフィルタエレメントを交換するにはそのハウジングの着脱に面倒な作業を要したので簡易な操作で容易にハウジングを着脱できる装置を提供することを課題とする。【解決手段】供給液入口通路及び濾液の出口通路を有する固定ヘッド部に、フィルタエレメント及びそれを収納するハウジングの上端部を結合するようにしたフィルタ装置において、前記ハウジングを傾斜位置から前記ヘッド部下方の垂直位置に枢動させ、次いで前記ハウジングを垂直上方に押し上げて前記ハウジング及び前記フィルタエレメントの上端部を前記ヘッド部に気密結合し、フィルタエレメントの交換時にはこれとは逆の運動をさせるようにした。【選択図】      図１０
2004154673.tif 000002
【特許請求の範囲】
【請求項１】
供給液入口通路及び濾液の出口通路を有する固定ヘッド部に、フィルタエレメント及びそれを収納するハウジングの上端部を結合するようにしたフィルタ装置において、前記ハウジングを傾斜位置から前記ヘッド部下方の垂直位置に枢動させ、次いで前記ハウジングを垂直上方に押し上げて前記ハウジング及び前記フィルタエレメントの上端部を前記ヘッド部に気密結合し、フィルタエレメントの交換時にはこれとは逆の運動をさせるようにしたフィルタ装置。
【請求項２】
前記運動は、前記ハウジングの上端部に枢着した操作レバーのカム板に設けたカムスロットと固定ヘッド部を支持するフレームに固定され且つ前記カムスロットに嵌合したカムピンとが、前記操作レバーの操作の際に作りだす運動である請求項１のフィルタ装置。
【請求項３】
前記運動は、前記ハウジングの下部を支持する案内ピンが前記フレームの一部に形成された垂直案内スロットにより規制されている請求項２のフィルタ装置。
【請求項４】
交換可能なフィルタエレメントと、該フィルタエレメントを収納するハウジングと、該ハウジングの開放上端部を気密的に閉鎖すると共に前記フィルタエレメントに濾過すべき流体を導くための供給液入口及び濾液出口を備えたヘッド部と、前記ハウジング及び前記ヘッド部を支持する支持フレームとを有するフィルタ装置において、前記ヘッド部は前記フレームに固定され、前記ハウジングの下端部には案内ピンが設けられ、前記案内ピンは前記支持フレームに設けられたほぼ垂直な案内スロットに上下動可能に支持され、前記ハウジングの上部は第１の位置及び第２の位置の間を移動できる操作レバーのカム板に枢着軸により枢着され、前記操作レバーのカム板は前記フレームに固定されたカムピンが嵌合するカムスロットを有し、前記カムスロットの形状は、前記第１の位置において前記カムピンにより前記ハウジングを前記ヘッド部に結合し、前記操作レバーを前記第１の位置から第２の位置に移動するにつれて前記第１の位置から前記ハウジングをほぼ垂直に押し下げ、次いで前記フィルタエレメントが取り出せる位置まで前記ハウジングを傾動させるように形作られていることを特徴とするフィルタ装置。
【請求項５】
前記カムスロットの形状は前記操作レバーが前記第１の位置にある時に前記枢着軸を前記カムピンに最も近くに引き寄せ、前記操作レバーが前記第１の位置から離れるにつれて前記枢着軸を前記カムピンからほぼ垂直に引き離し、次いで前記操作レバーが第２の位置に向けて接近するにつれて前記枢着軸を前記カムピンから遠ざけるように構成されている請求項４のフィルタ装置。
【請求項６】
前記ハウジングの垂直運動は前記案内ピン及び前記案内スロットにより制限される請求項４又は請求項５のフィルタ装置。
【請求項７】
前記案内ピンは平型形状を有し、それにより前記ハウジングを垂直運動中に垂直に保持するようにした請求項６のフィルタ装置。
【請求項８】
前案内スロットの下端部は前記案内ピンの枢動を許容する逃げを有する請求項７のフィルタ装置。
【発明の詳細な説明】
【０００１】
【発明の属する技術分野】
本発明はフィルタエレメントを交換することが可能なフィルタ装置に関し、更に詳しくは配管系に接続するための固定ヘッド部にハウジング並びにフィルタエレメントを結合するコネクタ機構を備えたフィルタ装置に関する。ヘッド部は少なくとも濾過すべき流体の入口並びに出口を有し、場合によりフィルタ装置内部のガスを抜くためのガスベントを備えることがある。
【０００２】
【従来の技術】
液体や気体等の流体の精製又は分離に使用されるフィルタ装置には内部のフィルタエレメントが交換できない使い捨て型のものと、内部のフィルタエレメントが交換できる交換型のものがある。使い捨て型のフィルタ装置はフィルタエレメントを収納するハウジング及び流体出入口を有する蓋部（ヘッド部）に多量の合成樹脂を使用するため、使い捨ては不経済であり、資源の無駄使いとなる。
一方、交換型のフィルタ装置は特開平１０−１１０６５７号、特開平８−２００５７２号、特開平５−３６１２１２号等に記載されているように、流体の入口、出口等のマニフォルドを有する固定ヘッド部に、フィルタエレメントを収容したハウジングの一端部を着脱自在に結合してフィルタエレメントを交換できるようにしている。このような交換型のフィルタ装置は大別して（１）固定ヘッド部とハウジングの合わせ目において、固定ヘッド部の周部リムにネジを設け、ハウジングの周部リムを内ねじを切った遊びリングで支持し、このリングを回転させてネジを固定ヘッド部のネジに結合するようにしたもの、（２）固定ヘッド部とハウジングの合わせ目において、固定ヘッド部とハウジングの周部に外方に突出するリムをそれぞれ設け、これらのリムをクランプバンド或いはリングバンドで締着するようにしたもの、（３）固定ヘッド部とハウジングの合わせ目において、固定ヘッド部とハウジングの周部に外方に突出するリムを設け、リムに沿って定間隔で多数の貫通孔を設け、これらの貫通孔を利用してボルトとナットで固定ヘッド部とハウジングを互いに結合するようにしたものがある。
【０００３】
図１１は上記（２）の型の結合手段を有する交換型液体フィルタ装置の一例を示し、入口通路４５、出口通路４９（場合によりガスベント４６、４７を備える）を有する固定ヘッド部４０と、フィルタエレメント４２を内部に収納したハウジング４１（場合によりドレイン５１を備える）とから構成され、それらの合わせ目の周部に形成される外周リム４９、５０を、クランプバンド４３で結合したものである。なお４４はシールリング、５２はフィルタエレメント４２をヘッド部に対して密着するための偏倚バネである。フィルタエレメント４２は公知であり、合成樹脂製の内外多孔円筒の間にプリーツ状に折り曲げたフィルタ膜を収納し、フィルタ膜と多孔内外円筒の上下端を気密封止したものであり、被処理液は固定ヘッド部１０の入口４５から導入され、ハウジング４１の内壁に沿って流れ、次いで外円筒の多孔を経てフィルタ膜を透過し、濾液は内円筒の内部通路から固定ヘッド部４０の出口通路４８に出て行く。
【０００４】
【特許文献１】
特開平１０−１１０６５７号公報
【特許文献２】
特開平８−２００５７２号公報
【特許文献３】
特開平５−３６１２１２号公報
【０００５】
【発明が解決しようとする課題】
上記（２）の従来例のフィルタ装置を組み立てるか或いは交換するには、先ずハウジング４１にフィルタエレメント４２を収納し、ハウジング４１を手で保持してバネ５２の力に抗して押し上げて周部リム４９、５０を密着させ、クランクバンド４３でその周りに被せ、クランプバンド４３の両端に設けた締着具（例えば雌雄ネジ）でクランプバンド４３の両端を相互に引き寄せて締め付ける。この作業では固定ヘッド部の所定位置にハウジング及びクランプバンドを同時に合わせる必要があるので、この作業は一人では到底無理であり、フィルタエレメント及びハウジングの重量が大きい場合あるいは大型である場合には大きな力が必要であり、うまく合わせないとハウジングが作業中に脱落することがあり、またクランプの取り外し及び締め付けに手間と時間がかかる作業を必要とする。
また、上記（１）の場合には、ハウジングを手で保持しながらネジ付きリングを何度も回して固定ヘッドのネジに所定位置までねじ込む必要があり、又ハウジングとカートリッジの重量が大きい場合には特に操作が困難である。
さらに、上記（３）の場合でも、ハウジングを手で保持してハウジングの周部リムを固定ヘッド部にネジ孔が整列するように押し当てて保持し、次いでボルトとナットに嵌め、ハウジングを回して所定位置までねじ込む必要があるので、同様な労力と時間を要する。
また逆にハウジングの取り外しの場合も上記と同様な作業が必要で手間と時間がかかる。
さらに据付にあたり、取付場所が狭くまた位置の調整が難しい。
従って、ハウジングが再使用可能でフィルタエレメントが交換できる型のフィルタ装置において、上記の欠点がなく、簡単な操作で容易にハウジングの着脱及びフィルタエレメント４２の交換ができるフィルタ装置を提供することが本発明の課題である。
【０００６】
【課題を解決するための手段】
本発明者は、フィルタエレメントを交換可能とし、ハウジング及びヘッド部を構成する蓋部分をいずれも恒久的に使用されるようにステンレス鋼その他の耐食性及び／又は耐食性の金属及び樹脂から製作すると共に、操作レバーの操作により容易にハウジングをヘッド部に着脱できるように構成すると共に、ハウジングの内部に収納されるフィルタエレメントを容易に交換できるように、上記操作レバーの操作だけでヘッド部がフィルタエレメントの交換の邪魔にならない位置にハウジングを移動させることができるフィルタ装置の構造を研究した。
その結果、フィルタエレメントの交換が容易に行えるように交換時にハウジングを傾斜させ、ヘッド部は支持フレームに固定し、ハウジングを傾動させることにした。このためには、フィルタエレメントを収納するハウジングを初期の傾斜位置からヘッド部下方の垂直位置にし、次いでハウジングを垂直上方に押し上げてハウジング及びフィルタエレメント上端部をヘッド部に気密結合し、使用後にはこれとは逆の運動をさせるようにした。
なお、ここに上下位置関係は説明の都合上選択したものであり、実際の使用時の姿勢では固定ヘッド部を下に、ハウジングを上にすることもある。
【０００７】
すなわち、本発明は、供給液入口通路及び濾液の出口通路を有する固定ヘッド部に、フィルタエレメント及びそれを収納するハウジングの上端部を結合するようにしたフィルタ装置において、フィルタエレメントを収納するハウジングを初期の傾斜位置からヘッド部下方の垂直位置に枢動させ、次いでハウジングを垂直上方に押し上げてハウジング及びフィルタエレメント上端部をヘッド部に気密結合し、フィルタエレメントの交換時にはこれとは逆の運動をさせるようにしたフィルタ装置である。
このような運動は、前記ハウジングの上端部に枢着した操作レバーのカム板に設けたカムスロットと固定ヘッド部を支持するフレームに固定され且つ前記カムスロットに嵌合したカムピンとが、前記操作レバーの操作の際に作りだすことができる。
またこの運動は、更に前記ハウジングの下部を支持する案内ピンが前記フレームの一部に形成された垂直案内スロットにより規制されることで円滑な運動となる。
【０００８】
本発明は、交換可能なフィルタエレメントと、該フィルタエレメントを収納するハウジングと、該ハウジングの開放上端部を気密的に閉鎖すると共に前記フィルタエレメントに濾過すべき流体を導くための原液入口及び濾液出口を備えたヘッド部と、前記ハウジング及び前記ヘッド部を支持する支持フレームとを有するフィルタ装置において、前記ヘッド部は前記フレームに固定され、前記ハウジングの下端部には案内ピンが設けられ、前記案内ピンは前記支持フレームに設けられたほぼ垂直な案内スロットに上下動可能に支持され、前記ハウジングの上部は第１位置及び第２位置の間を揺動できる操作レバーに枢着軸により枢着され、前記操作レバーは前記フレームに固定されたカムピンが嵌合するカムスロットを有し、前記カムスロットの形状は、前記第１の位置において前記カムピンにより前記ハウジングを前記ヘッド部に結合し、前記操作レバーを前記第１の位置から第２の位置に移動するにつれて前記第１の位置において前記ハウジングをほぼ垂直に押し下げ、次いで前記フィルタエレメントが取り出せる位置まで傾動させるように形作られていることを特徴とするフィルタ装置により、本発明の課題を解決した。
上記の運動を可能にする前記カムスロットの形状は、前記操作レバーが前記第１の位置にある時に前記枢着軸を前記カムピンに最も近くに引き寄せ、前記操作レバーが前記第１の位置から離れるにつれて前記枢着軸を前記カムピンからほぼ垂直に引き離し、次いで前記操作レバーが第２の位置に向けて接近するにつれて前記枢着軸を前記カムピンから遠ざけるように構成されているときに可能となる。
しかし、前記カムスロットとカムピンだけの運動では正確な運動は達成できないので、更に安定且つ正確な運動を実現するには、前記ハウジングの垂直運動の下限を前記案内ピン及び前記案内スロットにより制限することが好ましい。
【０００９】
【作用】
上記の結合機構を有するフィルタ装置は、ハウジングが第１の位置（図１の垂直位置）から第２の位置（図９〜図１０の傾斜位置）に移動する場合に次のように動作する（第２の位置から第１の位置への移動は可逆的である）。先ず操作レバーを引くと、操作レバーのカムスロットの縁部が固定カムピンに押されるのでハウジングの上側部に固定された枢着軸が下方に押され、それによりハウジングが下に押される。このときハウジングの下端部に固定した案内ピンは案内スロットにより下方に案内される。ハウジングの液体出入口はヘッド部の下端部から十分に離れる。
この状態から更に操作レバーを引くと枢着軸は下方に押されるが、案内ピンは案内スロットの下端に突き当たって制止されるので、操作レバーを更に押し下げるとその後は枢着軸は案内ピンを軸として前方に移動することができる。カムスロットは枢着軸より次第に遠ざかる軌跡を有するので操作レバーを更に押し下げると枢着軸と共にハウジングは前方に傾動してその開放上端はヘッド部から完全に外れた位置に来る。こうして使用済みのフィルタエレメントを取り外し、新規なものと交換することができる。逆に新規フィルタエレメントを正規位置に結合するには操作レバーを押し上げることにより、これと逆の経路をたどることは明らかである。
このようにしてフィルタエレメントの交換に必要なスペースは小さくなり、正確で確実な作業が可能となり、フィルタエレメント交換作業に必要な労力と時間が短縮できる。
【００１０】
【発明の実施の形態】
以下図１〜図１０を参照して本発明のフィルタ装置の実施の形態を詳しく説明する。以下の説明では固定ヘッドを上部にハウジングを下部に配置して構造を示すが、上下を反転した使用法もフィルタエレメントの取り出しに重力の作用を利用できる点で有利であるので、上下の語は単なる相対的な語と理解すべきである。
図１はフィルタエレメント３０（図３、図１０参照）及びハウジング２が固定ヘッド部１に液密に結合されたフィルタ装置を示し、図２〜図６はハウジング２をこの結合位置からフィルタエレメントの取り出し位置に移動させる順次の工程にあるフィルタ装置を示し、図７〜図９はフィルタエレメントを回転してハウジングからの取り出し位置に移動させる順位の工程にあるフィルタ装置を示し、図１０はフィルタエレメント３０の取り出し状態にあるフィルタ装置を示す。新規フィルタエレメントと交換した後にハウジングをヘッド部に結合する行程はこれらの図を逆にたどる。
【００１１】
ここにフィルタ装置はフィルタエレメントを交換するタイプであり、このようなフィルタエレメントは公知である。図３及び図１０から分かるようにフィルタエレメント３０は、多数の開孔３１を有するフッ素樹脂やＰＰ、ＰＥ等の合成樹脂より製作した内側支持円筒３２と、その外側に配置したプリーツ状に折り曲げ且つエンドレスにしたＰＴＦＥ、ＰＰ、ＰＥ等のフィルタ膜３３と、その外側を支持する多数の開孔３４を有する合成樹脂より製作した外側支持円筒３５と、フィルタ膜３３の上下端を封着しかつ内外支持円筒３５、３６の上下端に融着した上下端板３６、３７よりなる。このフィルタエレメント３０が耐熱及び／又は耐食性のステンレス鋼等のハウジング２の内部に収納された状態では外側支持円筒３５とハウジング２との間に濾過すべき液体（供給液）のための外側流路１７が形成され、内部支持円筒３２の内部は濾液のための内側流路１６を形成する。
【００１２】
図３及び図１０から分かるように、フィルタエレメント３０の上端にはフィルタ装置の固定ヘッド部１に液密結合でき且つ外側流路１７に接続した環状供給液入口部材１８と、内側流路１６の延長部を有する濾液出口部材１９とが突出しており、これらにそれぞれ対応してヘッド部１には供給液入口孔２３及び濾液出口孔２４（実際には管継ぎ手が設けられるが図では省略）が設けられ、内部の環状供給通路２０及び出口通路２１にそれぞれ接続されている。フィルタエレメント３０が結合位置にあるとき、供給液入口部材１８はシールリング等を介して入口通路２０に液密接続され、濾液出口部材１９はシールリング等を介して出口通路２１に液密接続される。
【００１３】
次に本発明の構造について説明する。フィルタ装置は設置場所の壁面等の適当な個所に固定される支持フレーム３、その上部に固定されたヘッド部１、ヘッド部１の下側に配置される可動ハウジング２、このハウジングの下部を支持する側部支持板８（支持フレーム３の一部を構成）、及びハウジング２の上部を支持すると共にその上下動及び傾動を行わせるためのカム板５を備えた操作レバー４より構成されている。ハウジング２の上端は上に述べたようにヘッド部１の下端に着脱できる。この点は後で詳述する。ハウジング２の下部には案内ピン９’が固定され、これが側部支持板８の下部に形成されたほぼ垂直な案内スロット９に嵌合して上下方向に滑動できるようになっている。ハウジング２の上部は枢着軸７により操作レバー４のカム板５に枢着されており、一方カム板５のカムスロット６は支持フレーム３（この例ではヘッド部１の側面）に固定されたカムピン６’に嵌合している。このためハウジング２の上部はカム板５を介してカムピン６’により移動自在に支持されている。
【００１４】
操作レバー４は手掛け１１を上下動することにより枢着軸７の周りに揺動し、それにより固定カムピン６’に嵌合した所定形状のカムスロット６により枢着軸７に（従ってハウジング２に）所定の運動が与えられる。この運動を可能にするカムスロット６の形状は、操作レバー４が結合位置（図１）にある時に枢着軸７が前記カムピン６’にほぼ垂直方向に並んでいてカムピンに最も近くに引き寄せられ、操作レバー４がそこから離れるにつれて枢着軸７をカムピン６’からほぼ垂直に引き離し、次いで前記操作レバーが第２の位置に向けて接近するにつれて前記枢着軸を前記カムピンから遠ざけるように構成されているときに可能となる。
【００１５】
しかし、カムスロット６とカムピン６’のみから得られる運動では正確な運動は達成しにくいので、更に安定且つ正確な運動を実現するには、ハウジング２の垂直運動の下限を案内ピン９’及び案内スロット９により制限することが好ましい。ハウジング２が最初に垂直かつ下方に運動し、案内ピン９’が最下位置で停止すると、操作レバー４を更に押し下げたときに枢着軸７は案内ピン９’を支点とした回転運動を行うことになる。この上下運動と回転運動を円滑にするために案内ピン９’は平型にしてハウジングの運動を下降の初期には垂直方向に拘束する。また案内スロット９の下端には図４からよく分かるように平型の案内ピン９’の回転を可能にするように案内ピンに対する逃げ１０を形成しておく。
【００１６】
図５〜図９にはハウジング２にフィルタエレメント３０を位置決めし固定するための手段が示されているが単なる一例であり、他の適当な手段を使用してもよい。
ハウジング２の上端には直径を挟んで対向する位置にロック部材１４が設けてある。このロック手段は円弧状の溝を有し、これらの溝にフィルタエレメント３０の上端の対向した位置に設けたロック板１５が回転方向から挿入でき所定の回転位置で停止できるようになっている。フィルタエレメント３０は更に指掛け突起１３を有しフィルタエレメント３０をロック位置と解除位置の間で回転できるようになっている。
【００１７】
次に本発明のフィルタ装置の動作を説明する。
上記の結合機構を有するフィルタ装置は、ハウジングがヘッド部との結合位置（図１の垂直位置）からフィルタエレメントの交換位置（図９〜図１０の傾斜位置）に移動する場合に次のように動作する（交換位置から結合位置への移動は可逆的である）。図１〜図４を参照するに、先ず操作レバー４の手掛け１１を引くと、操作レバー４のカム板５に設けたカムスロット６の縁部が固定カムピン６’により押されるのでハウジング２の上側部に固定された枢着軸７が下方に押され、それによりハウジング２が下に押される。このときハウジング２の下端部に固定した案内ピン９’は案内スロット９により下方に案内される。ハウジング２の供給液入口１８及び濾液出口１９はヘッド部１の下端部から十分に離れる（図２〜図４）。この行程では、案内ピン９’が平型であるためハウジング２は回転できず、その入口１８及び出口１９はヘッド部１の供給通路２０、出口通路２１に対してそれぞれ整列状態を維持している。これによりこれらの部材間及びこれらの間に設けられるＯ形シールリングに無理な力が作用しない。この状態から更に操作レバー４を引く（押し下げる）と案内ピン９’は案内スロット９の下端に突き当たって制止される。
【００１８】
図２〜図４の状態から更に操作レバー４を引く（押し下げる）と枢着軸７は下方に移動しようとするが、案内ピン９’は案内スロット９の下端に停止しているので、枢着軸７は案内ピン９’を軸として前方に移動してハウジング２は前方へ傾動を始める。カムスロット６は枢着軸７より次第に遠ざかる軌跡を有するので操作レバー４を下降させるとピン６’によりカム板５がガイドされて枢着軸７及びそれに支持されたハウジング２は前方に傾動を続け最終的にカムスロット６の端部壁がピン６’に係合する位置でハウジング２は停止する（図５〜図７）。この状態ではハウジング２の上端部はヘッド部１から完全に外れるので、フィルタエレメント３０は取り出せる状態となる。そこで指掛け突起１３によりフィルタエレメント３０を左に回してハウジング側のロック部材１４からフィルタエレメント３０のロック板１５を図８の角度位置から図９の角度位置まで回す。次いでフィルタエレメント３０を上に引き出す。
【００１９】
新規なフィルタエレメント３０を装着したハウジング２をヘッド部１に結合するには、操作レバー４を上方に押し上げる。これによりハウジングは上記とは逆の行程をたどって案内ピン９’の周りを枢動して垂直になってヘッド部１に整列し、次いで垂直に引き上げられて供給液入口部材１８及び濾液出口部材１９をそれぞれヘッド部１の供給通路２０及び出口通路２１にＯ形シールリングを介して液密嵌合する。
【００２０】
【発明の効果】
以上のように、本発明はヘッド部とハウジング及びフィルタエレメントとの結合の際に不均一な応力がかからず、繰り返し結合においてシールリングの局部的な劣化を防止してシールの確実を期することができ、またシールリングの交換を容易に行うことができる。
又ハウジングが再使用可能でフィルタエレメントが交換できる型のフィルタ装置であるので、資源の節約が可能である。
本発明のフィルタ装置では、操作レバーの操作だけでフィルタエレメントを収納するハウジングを初期の傾斜位置からヘッド部下方の垂直位置に枢動させ、次いでハウジングを垂直上方に押し上げてハウジング及びフィルタエレメント上端部をヘッド部に気密結合し、フィルタエレメントの交換が必要になったときにはこれとは逆の運動をさせるようにしたので、操作性が良いだけでなく結合が安定である。
また、本発明によれば、フィルタエレメントの交換に必要なスペースが小さくなり、正確で確実な作業が可能となり、フィルタエレメント交換作業に必要な労力と時間が短縮できる。
【図面の簡単な説明】
【図１】ハウジングとヘッド部が結合した状態にある本発明のフィルタ装置の実施例の斜視図である。
【図２】図１の結合位置からフィルタエレメント及びハウジングを垂直に押し下げた状態にあるフィルタ装置の斜視図である。
【図３】図２と同じ状態のフィルタ装置の正面図である。
【図４】図２と同じ状態のフィルタ装置の側面図である。
【図５】ハウジングが図２の状態から前方に傾斜せしめられた状態にあるフィルタ装置の斜視図である。
【図６】図５と同じ状態のフィルタ装置の正面図である。
【図７】図５と同じ状態のフィルタ装置の平面図である。
【図８】図５の状態からフィルタエレメントのロックを外す過程を示すフィルタ装置の斜視図である。
【図９】図８の状態から更にフィルタエレメントを回転してロックを完全に外した状態にあるフィルタ装置の斜視図である。
【図１０】フィルタエレメントを交換している状態にあるフィルタ装置の斜視図である。
【図１１】従来の交換型のフィルタ装置の一例を示す斜視図である。
【符号の説明】
１  ヘッド部
２  ハウジング
３  支持フレーム
４  操作レバー
５  カム板
６  カムスロット
６’カムピン
７  枢着軸
８  側部支持板
９  案内スロット
９’案内ピン
１０  逃げ
１１  手掛け
１３  指掛け
１４  ロック部材
１５  ロック板
１６  内側流路
１７  外側流路
１８  供給液入口部材
１９  濾液出口部材
２０  環状供給通路
２１  出口通路
２３  供給液入口孔
２４  濾液出口孔
３０  フィルタエレメント
３１  多数の開孔
３２  内側支持円筒
３３  フィルタ膜
３４  多数の開孔
３５  外側支持円筒
３６、３７  端板
【図１】
2004154673.tif 000003
【図２】
2004154673.tif 000004
【図３】
2004154673.tif 000005
【図４】
2004154673.tif 000006
【図５】
2004154673.tif 000007
【図６】
2004154673.tif 000008
【図７】
2004154673.tif 000009
【図８】
2004154673.tif 000010
【図９】
2004154673.tif 000011
【図１０】
2004154673.tif 000012
【図１１】
2004154673.tif 000013